(57)【特許請求の範囲】
【請求項１】
建築物の外壁本体に設けられる一対の外装パネルの端部を覆う長尺の外装パネル用役物であって、
前記外装パネル用役物の断面形状は左右対称形で、一対の外装パネルの各端部を収納する一対の収納部とこの収納部を覆う一対のカバー材から成り、
前記一対の収納部は、前記外壁本体に取付けられる内側材と、この内側材から平行に前記外装パネルの厚さと同じ幅で隔たる外側材と、前記左右対称形の対称軸から隔てた位置で前記内側材の一端に前記内側材と直角に設けられる第一の面と前記外側材の一端に前記外側材と直角に設けられる第二の面が連結してなる連結材とで形成されるとともに、
前記一対のカバー材は前記各外側材の他端で折返し外側材に沿って延設して前記対称軸上で練結され、前記カバー材と外側材に、外装パネルの長手方向に形成される表面模様としての凹部形状、又は前記外装パネルと隣接する他の外装パネルの長辺とに沿って形成される表面模様としての凹部形状、を覆う凸部形状が形成され、かつ
前記外装パネル用役物のカバー材と外側材の端部と、この役物に隣接して設けられる他の外装パネル用役物のカバー材と外側材の端部とには、それぞれ凸部半形状が形成されており、
少なくとも前記外装パネルと他の外装パネルの長辺とに沿って形成される凹部形状を覆う凸部形状は、前記外装パネル用役物と他の外装パネル用役物の一方の凸部半形状を外壁本体の取付部に固着した後、当該一方の凸部半形状の底面に他方の凸部半形状の底面を重ね合わせてこれら凸部半形状どうしを合体させることにより形成されることを特徴とする外装パネル用役物。
【請求項２】
請求項１に記載の外装パネル用役物であって、前記収納部の連結材は前記内側材と前記外側材の中間において前記第二の面が前記第一の面より前記収納部から突出するように第三の面を介して連結されることを特徴とする外装パネル用役物。
【請求項３】
請求項１又は請求項２に記載の外装パネル用役物であって、前記一対の内側材の挟角は直角又は１８０度に形成されることを特徴とする外装パネル用役物。
【請求項４】
請求項１乃至請求項３のいずれか１項に記載の外装パネル用役物であって、前記外装パネル用役物は鋼板による板金加工で一体形成されることを特徴とする外装パネル用役物。
【発明の詳細な説明】
【技術分野】
【０００１】
本発明は、外壁本体に設ける一対の外装パネルを挟持する外装パネル用役物に関し、特に、表面模様を備える外装パネルを挿入し易く、且つ挿入した外装パネルを安定して保持できる外装パネル用役物の技術に関する。
【背景技術】
【０００２】
従来、建築物の外壁本体に取付ける一対の外装パネル用の外装パネル用役物として、例えば、特許文献１の記載が知られている。
【０００３】
特許文献１によれば、図１１に示すように、外装パネル用役物１２は下型１と上型８からなり、下型１の断面形状は、亜鉛めっき帯板を直角に折り曲げた同一形状の２枚の帯状山形鋼板２を、片方の辺３が同一平面となるように互いに反対方向に伸長し、他方の辺４の外側を合わせることにより構成される。
【０００４】
各辺３の端部には折返し部５が内側に設けられ、この折り返し部５と帯状山形鋼板２の折り曲げ線６との間には内側に突出した水切り用の突条７が設けられる。
【０００５】
上型８は、帯状鋼板を偏平チュ−ブ状に折り曲げたもので、その半幅は下型１の帯状山形鋼板２の辺３より狭く形成される。上面板９は連続しているが、下面板１０は中央部が長手方向に沿って分離し下型１の２枚の他方の辺４に連結する。そして、各辺３を外壁本体１３に図示しない釘等で打ち付け、下型１と上型８との間に外装パネル１１を容易に挿入することができる。
【０００６】
ところが、天然の石積み風、レンガ積み風の縦横の模様目地としての凹凸パターンが施された外装パネルの場合には、外装パネル用役物１２によって模様目地の連続性が損なわれるので、外観性が悪く品質が低下するという問題があった。また、隙間から雨水が浸入し易いので、外装パネルが劣化し防音性や保温性が低下するという問題があった。
【０００７】
この問題を解決する方法が特許文献２に記載されている。特許文献２によれば、図１２（ａ）、（ｂ）に示すように、建物の出隅に用いられる外装パネル用役物１４はカバー部１５と保持部１６とベース部１７とからなり、カバー部１５の側端部は折り返されて鉤型の係止部１１１を形成し、保持部１６はこの係止部１１１と係合する係合片１２１を有するとともに嵌合用脚部１２２を有している。嵌合用脚部１２２は、外壁本体１３ａのコーナー部に固定されたベース部１７の嵌合用凸部１３１に内設される２段の嵌合用爪部１３２と嵌合する。
【０００８】
外装パネル用役物１４のカバー部１５は外装パネル１８に設けられる図示しない横方向の模様目地を覆うように、２条の溝部１５ａが絞り加工して設けられる。
【０００９】
さらに、カバー部１５の上端部に水返し１５ｂが設けられるとともに凹部１５ｃが設けられ、カバー部１５の上端部は上方の他のカバー部１５の下端部１５ｄと嵌合する。
【００１０】
このため、カバー部１５で外装パネル１８を覆うと、溝部１５ａが上記図示しない外装パネル１８の模様目地を覆うとともに、凹部１５ｃが上下の外装パネル１８間の継目に形成される横目地１８ａを覆うので雨水等の侵入を防ぐことができる。
【特許文献１】登録実用新案第３００８５２４号公報
【特許文献２】特開２００５−１７１６５６号公報
【発明の開示】
【発明が解決しようとする課題】
【００１１】
ところが、上記の外装パネル用役物１４は、カバー部１５と保持部１６とベース部１７がそれぞれ別体で加工されるので製作コストが高くなるという問題があった。
【００１２】
そこで、本発明はこのような問題を解決し、外装パネルの模様目地と複数の外装パネル間の目地の連続性を保って、意匠性、外観を向上し、且つ浸水を確実に防止する低コストの外装パネル用役物を提供することを目的とする。
【課題を解決するための手段】
【００１３】
請求項１の発明は、建築物の外壁本体に設けられる一対の外装パネルの端部を覆う長尺の外装パネル用役物であって、前記外装パネル用役物の断面形状は左右対称形で、一対の外装パネルの各端部を収納する一対の収納部とこの収納部を覆う一対のカバー材から成り、前記一対の収納部は、前記外壁本体に取付けられる内側材と、この内側材から平行に前記外装パネルの厚さと同じ幅で隔たる外側材と、前記左右対称形の対称軸から隔てた位置で前記内側材の一端に前記内側材と直角に設けられる第一の面と前記外側材の一端に前記外側材と直角に設けられる第二の面が連結してなる連結材とで形成されるとともに、前記一対のカバー材は前記各外側材の他端で折返し外側材に沿って延設して前記対称軸上で練結され、前記カバー材と外側材に、外装パネルの長手方向に形成される表面模様としての凹部形状、又は前記外装パネルと隣接する他の外装パネルの長辺とに沿って形成される表面模様としての凹部形状、を覆う凸部形状が形成され、かつ前記外装パネル用役物のカバー材と外側材の端部と、この役物に隣接して設けられる他の外装パネル用役物のカバー材と外側材の端部とには、それぞれ凸部半形状が形成されており、少なくとも前記外装パネルと他の外装パネルの長辺とに沿って形成される凹部形状を覆う凸部形状は、前記外装パネル用役物と他の外装パネル用役物の一方の凸部半形状を外壁本体の取付部に固着した後、当該一方の凸部半形状の底面に他方の凸部半形状の底面を重ね合わせてこれら凸部半形状どうしを合体させることにより形成されることを特徴としている。
【００１４】
請求項２の発明は、請求項１に記載の外装パネル用役物であって、前記収納部の連結材は前記内側材と前記外側材の中間において前記第二の面が前記第一の面より前記収納部から突出するように第三の面を介して連結されることを特徴としている。
【００１５】
請求項３の発明は、請求項１又は請求項２に記載の外装パネル用役物であって、前記一対の内側材の挟角は直角又は１８０度に形成されることを特徴としている。
【００１６】
請求項４の発明は、請求項１乃至請求項３のいずれか１項に記載の外装パネル用役物であって、前記外装パネル用役物は鋼板による板金加工で一体形成されることを特徴としている。
【発明の効果】
【００１７】
請求項１の発明によれば、外装パネル用役物の前記カバー材と外側材に、外装パネルの長手方向に形成される表面模様としての凹部形状、又は前記外装パネルと隣接する他の外装パネルの長辺とに沿って形成される表面模様としての凹部形状、を覆う凸部形状が形成されるので、外装パネルの模様目地と複数の外装パネル間の目地の連続性を保つことができるので意匠性、外観が向上し、品質性が向上できる。
【００１８】
さらに、前記凹部形状と前記凸部形状の間の隙間を埋めることができるので外装パネルの端部からの浸水を確実に防止できる。
【００１９】
請求項２の発明は、請求項１に記載の外装パネル用役物であって、前記収納部の連結材の前記第一の面によって外装パネルの位置決めが確実容易にできる。
【００２０】
このため、前記第二の面の位置及び形状に影響が及ばず外装パネル用役物が変形しないので外装パネルを確実に取付けることができるので、請求項１の発明の効果と同様の効果が得られる。
【００２１】
請求項３の発明は、請求項１又は請求項２に記載の外装パネル用役物であって、前記一対の内側材の挟角は直角又は１８０度に形成されるので、外装パネル用役物のカバー材とベース材を同様の構成を用いて外壁本体の出隅部、入隅部又は平面部に用いることができる。このため、略同じ工程を用いて出隅部、入隅部又は平面部用に加工できるので生産性が向上する。
【００２２】
請求項４の発明は、請求項１乃至請求項３のいずれか１項に記載の外装パネル用役物であって、前記外装パネル用役物は鋼板による板金加工で一体形成されるので、低コストで製作することができる。
【発明を実施するための最良の形態】
【００２３】
以下に、本発明の第１の実施形態を図１〜図７に基づいて説明する。
【００２４】
＜外装パネル用役物の構成＞
図１に示すように、本発明の外装パネル用役物２１は建築物の外壁本体２２に設けられる一対の外装パネル２３（幅Ｌ）の端部２３ａを覆う長尺の外装パネル用役物２１である。いま、外装パネル２３は３枚一組として一対設けられ、それぞれ隣接する外装パネル２３の長辺２３ｂは図示しない雄実部と雌実部で連結されている。
【００２５】
外装パネル２３は断熱性、遮音性等を目的として、内部の断熱材を両側から薄肉の金属板で被覆してなる金属サイディングが用いられ、外装パネル２３の表面に凹凸パターン模様としての断面図示しない凹部形状２３ｃが形成される。なお、外装パネル２３の隣接する長辺２３ｂによっても同様の断面図示しない凹部形状２３ｄが形成される。
【００２６】
外装パネル２３は外壁本体２２に横張り又は縦張りで組付けられるが、図示しない胴縁を介して取付けられることもある。また、外装パネル用役物２１は取付時に図示しないシール材を用いて防水対策が講じられる。
【００２７】
図２、図３に示すように、外装パネル用役物２１の断面形状は左右対称形で外装パネル２３の各端部２３ａを収納する一対の収納部２５とこの収納部２５を覆う一対のカバー材３３から成る。
【００２８】
一対の収納部２５は、外壁本体２２に取付けられる内側材２６（長さＴ＝３７ｍｍ）と、この内側材２６から幅Ｈ１＝２２ｍｍで平行に隔たる外側材２７（長さＴ１＝２０ｍｍ）と、連結材２８とで形成される。
【００２９】
連結材２８は内側材２６の一端２６ａに内側材２６と直角に設けられる第一の面２８ａと、対称軸Ｐから長さＴ２＝２．５ｍｍ隔てた位置で外側材２７の一端２７ａに外側材２７と直角に設けられる第二の面２８ｂとが、第二の面２８ｂが第一の面２８ａより収納部２５から突出するように第三の面２８ｃを介して連結される。
【００３０】
ここで、内側材２６の他端２６ｂには内側材２６と平行に収納部２５の内部側に長さＴ４＝５ｍｍで折返す折返部２９が形成される。また、内側材２６の略中央部に内側材２６と連続的に内部側に突出する凸状３０が形成される。一対の内側材２６の両他端２６ｂ間の長さＴ４＝７９ｍｍである。
【００３１】
このため、内側材２６と外側材２７間の幅Ｈ１＝２２ｍｍから折返部２９と凸状３０の高さを除いた隙間が上記外装パネル２３の厚さＨ＝２１ｍｍと同じ幅となる。なお、凸状３０は、万一雨水等が目地部より流入しても、雨水が外壁本体２２に侵入するのを防止するためのものである。内側材２６は図示しないビス等を介して外壁本体２２に取付けられる。
【００３２】
一対のカバー材３３は各外側材２７の他端２７ｂで外側に幅Ｈ２＝１．５ｍｍで折返し、外側材２７に沿って延設して対称軸Ｐ上の位置Ｐ１で練結される。一対のカバー材３３の全幅Ｔ３＝４５ｍｍである。
【００３３】
ここで、カバー材３３と外側材２７に、各外装パネル２３の表面の長手方向に形成される模様としての凹部形状２３ｃを覆う凸部形状５０と、外装パネル２３の隣接する長辺で形成される凹部形状２３ｄを覆う凸部形状５１とが形成される。
【００３４】
図４、図５、図６、図７に示すように、より詳しくは、凸部形状５１はそれぞれ隣接する外装パネルの一端を覆って設けられ斜面５２ａと底面５２ｂで形成される凸部半形状５２と、他端に設けられ斜面５３ａと底面５３ｂで形成される凸部半形状５３の双方の底面５２ｂ、５３ｂが重なることにより形成される。
【００３５】
凸部形状５０と凸部形状５１は略同じ台形形状で、下底の長さＱ＝１７ｍｍ、上底の長さＱ１＝７ｍｍ、高さＱ２＝２ｍｍである。斜面５２ａ、５３ａは角度θ＝４５度でそれぞれ折り曲がる。凸部形状５０、凸部形状５１はそれぞれピッチＰ２＝８８ｍｍの間隔で形成される。
【００３６】
ここで、凸部半形状５２の底面５２ｂにおいて、カバー材３３の下方の外側材２７が中央部で幅Ｍ＝１６ｍｍの領域が省かれる。
【００３７】
一方、凸部半形状５３の底面５３ｂは角度θ＝４５度の斜面５３ｃを用いて底面５３ｂより一段低い位置に突出部５３ｄ（幅Ｑ３＝１４ｍｍ）が孔５３ｅを備えて設けられる。
【００３８】
このため、最初に、外装パネル用役物２１の他端の突出部５３ｄが孔５３ｅを介してビス等の固着具５７で建物の図示しない取付部に固着され、その後、外装パネル用役物２１のカバー材３３の一端としての底面５２ｂを他端の底面５３ｂに挿入することで、外装パネル用役物２１の長手方向の隣接する一端と他端が同時に固着されて凸部形状５１が形成される。
【００３９】
なお、外装パネル用役物２１のカバー材３３と外側材２７に凸部形状５０と凸部形状５１を形成容易とするために、凸部形状５０、凸部形状５１の両端又は片端に幅Ｑ４＝５ｍｍを加えて成る領域５６、５５には内側材２６と連結材２８が省かれている。
【００４０】
外装パネル用役物２１は板厚０．３５ｍｍの薄厚鋼板の両表面にアルミ・亜鉛合金メッキを施し、さらに、カバー材３３に対しては表面側となる面にフッ素樹脂塗装、裏面側にポリエステル樹脂塗装が施されて板金加工により連続して一体形成される。
【００４１】
＜外装パネル用役物の作用＞  
上記、外装パネル用役物に、外装パネルの長手方向に形成される模様としての凹部形状、又は複数の外装パネルの隣接する長辺に沿って形成される凹部形状、を覆う凸部形状が形成されるので、一対の外装パネル間の模様と目地の連続性を保つことができるので意匠性、外観が向上し、品質性が向上できる。また、凸部形状によって凹部形状との間の隙間を埋めることができるので外装パネルの端部からの浸水を確実に防止できる。
【００４２】
収納部の連結材の第一の面によって外装パネルの位置決めが確実容易にできるので、第二の面の位置及び形状に影響が及ばず外装パネル用役物が変形しないので、外装パネルを確実に取付けることができる。
【００４３】
外装パネル用役物は鋼板による板金加工で一体形成されるので、低コストで製作することができる。
【００４４】
＜第２の実施形態＞
本発明の第２の実施形態を図８を用いて説明するが、図３に示す外装パネル用役物２１の構成と同構成部分については、図面に同符号を付して重複した説明を省略する。
【００４５】
図８に示すように、外装パネル用役物２１ａは建物の出隅部に用いられる外装パネル用役物２１ａで、一対の内側材２６の挟角θ１＝直角に形成される。
【００４６】
外側材２７の長さＳ１＝２５ｍｍ、カバー材３３の全幅Ｓ２＝５５ｍｍ、内側材２６の長さＳ３＝４２ｍｍ、位置Ｐ１から内側材２６の他端２６ｂまでの長さＳ４＝７２ｍｍである。第二の面２８ｂの延長線が内側材２６と交わる位置３５は対称軸Ｐから長さＳ５＝略４ｍｍである。
【００４７】
＜第３の実施形態＞
本発明の第３の実施形態を図９を用いて説明するが、図３に示す外装パネル用役物２１の構成と同構成部分については、図面に同符号を付して重複した説明を省略する。
【００４８】
図９に示すように、外装パネル用役物２１ｂは建物の入隅部に用いられる外装パネル用役物２１ｂで、一対の内側材２６の挟角θ２＝直角に形成される。位置Ｐ１から外側材２７の他端２７ｂまでの長さＷ＝２３ｍｍ、一端２７ａと対称軸Ｐは間隔Ｗ１＝略４ｍｍである。
【００４９】
以上、本発明の実施形態を図面に基づいて説明したが、上記の実施例はいずれも本発明の一例を示したものであり、本発明はこれらに限定されるべきでないということは言うまでもない。
【００５０】
例えば、図１０（ａ）、（ｂ）、（ｃ）、（ｄ）に示すように、外装パネル用役物２１のパターンは様々に形成することができる。図１０（ａ）は上記第１〜第３の実施例をパターン化して示すものであり、図示しない４組の凹部形状が形成された３枚の外装パネル２３に、３組の外装パネル用役物２１が用いられる。図１０（ｂ）は４組の凹部形状が形成された３枚の外装パネルに、１組の外装パネル用役物２１が用いられる。図１０（ｃ）は凹部形状が形成されない３枚の外装パネルに、１組の連続する外装パネル用役物２１が用いられる。図１０（ｄ）は凹部形状が形成されない３枚の外装パネルに、３組の外装パネル用役物２１が用いられる。
【００５１】
外装パネル用役物の各寸法を調整することで、厚さＨ＝２１ｍｍ以外の金属サイディングにも用いることができる。外装パネル２３は窯業系サイディングでもよい。
【図面の簡単な説明】
【００５２】
【図１】本発明の第１の実施形態における、建築物の外壁本体２２に設けられる一対の外装パネル２３の端部２３ａを覆う長尺の外装パネル用役物２１の配置図である。
【図２】本発明の第１の実施形態における、外装パネル用役物２１の斜視図である。
【図３】本発明の第１の実施形態における、図２のＡ−Ａ断面図である。
【図４】本発明の第１の実施形態における、図２のＢ−Ｂ平面図である。
【図５】本発明の第１の実施形態における、図２のＣ−Ｃ側面図である。
【図６】本発明の第１の実施形態における、図１のＤ−Ｄ断面矢視図である。
【図７】本発明の第１の実施形態における、一対の外装パネル用役物２１の凸部半形状５２と凸部半形状５３を挿入する状態を示す斜視図である。
【図８】本発明の第２の実施形態における、建築物の出隅部に設けられる長尺の外装パネル用役物２１ａの断面図である。
【図９】本発明の第３の実施形態における、建築物の入隅部に設けられる長尺の外装パネル用役物２１ｂの断面図である。
【図１０】本発明の外装パネル用役物２１の種々のパターン図であって、図１０（ａ）は４組の凹部形状を持つ３枚の外装パネル２３に対して３組の外装パネル用役物２１のパターン図、図１０（ｂ）は凹部形状を持つ３枚の外装パネルに対して１組の外装パネル用役物２１のパターン図、図１０（ｃ）は凹部形状を持たない３枚の外装パネルに対して１組の外装パネル用役物２１のパターン図、図１０（ｄ）は凹部形状を持たない３枚の外装パネルに対して３組の外装パネル用役物２１のパターン図である。
【図１１】従来の、建築物の外壁本体１３に設けられる一対の外装パネル１１の端部を覆う長尺の外装パネル用役物１２の断面図である。
【図１２】従来の他の、カバー部１５と保持部１６とベース部１７とからなる外装パネル用役物１４の、(ａ)は、カバー部１５の斜視図、（ｂ）は外装パネル用役物１４の組付け断面図である。
【符号の説明】
【００５３】
２１  外装パネル用役物
２３  外装パネル
２３ａ  端部
２３ｃ  凹部形状
２３ｄ  凹部形状
２５  収納部
３３  カバー材
５０  凸部形状
５４  雄実部
５５  雌実部
５１  凸部形状
５２  凸部半形状
５２ａ  斜面
５２ｂ  底面
５３  凸部半形状
５３ａ  斜面
５３ｂ  底面
【図１】
0004687549.tif 000002
【図２】
0004687549.tif 000003
【図３】
0004687549.tif 000004
【図４】
0004687549.tif 000005
【図５】
0004687549.tif 000006
【図６】
0004687549.tif 000007
【図７】
0004687549.tif 000008
【図８】
0004687549.tif 000009
【図９】
0004687549.tif 000010
【図１０】
0004687549.tif 000011
【図１１】
0004687549.tif 000012
【図１２】
0004687549.tif 000013